(57)【特許請求の範囲】
【請求項１】
水平方向に延びる断面矩形状の桟部材に取り付けられる陳列用具において、
コ字状の開口を下方に向くようにして前記断面矩形状の桟部材に装着可能な係合部と、該係合部に取り付けられ物品を保持する物品保持部と、前記係合部の上部に揺動可能に軸支され前記断面矩形状の桟部材に取り付けられた前記係合部の上方への移動を規制する規制部材と、を備え、
前記係合部が、前記開口が下方に向くようにして前記断面矩形状の桟部材に取り付けられた状態で、前記係合部の上部に軸支された前記規制部材の一部が揺動により前記係合部の下方に移動し、前記断面矩形状の桟部材の下面に当接するようになっていることを特徴とする陳列用具。
【請求項２】
前記規制部材の上部が前記係合部に対する軸支部分の上方に突出していることを特徴とする請求項１に記載の陳列用具。
【請求項３】
前記規制部材の上部が前記物品保持部よりも上方に突出していることを特徴とする請求項１または２に記載の陳列用具。
【請求項４】
前記規制部材が前記物品保持部を避けて前記係合部を覆うように板状に形成されることを特徴とする請求項１ないし３のいずれかに記載の陳列用具。
【発明の詳細な説明】
【技術分野】
【０００１】
本発明は、桟部材に取り付けられ物品を吊支して陳列する陳列用具に関する。
【背景技術】
【０００２】
スーパーマーケットやデパート等において、物品陳列棚や壁等の陳列装置に設けられた桟部材に取り付けられ、商品等に設けられる貫通孔やフック等により商品を吊支して陳列するための陳列用具が用いられている。このような陳列用具には、例えば、特許文献１に開示されているような技術が採用されている。
【０００３】
特許文献１によれば、陳列用具は、角型の桟部材に着脱可能に支持される側面視略クエスチョンマーク形状のベースと、該ベースに取り付けられ商品を吊下げ保持可能な棒状部材と、ベースの上面部の前方寄り略中央に形成された穴をその脚部が上下に貫通するように取り付けられる略ボルト形状の移動部材と、から主に構成されている。
【０００４】
これによれば、陳列用具を桟部材に取り付ける場合には、移動部材を上方に引き上げ、桟部材の前壁部にベースの傾斜部を沿わせた状態でベースを桟部材に嵌挿した後、桟部材の上壁部、前後壁にベースの上壁、前後の垂直部がそれぞれ当接する位置までベースを回動させ、この状態で移動部材を桟部材の前壁部とベースの傾斜部の内面との隙間に差し込むことで、桟部材に対するベースの傾斜が規制されるとともに、桟部材の下壁部にベースの下端に形成される屈曲面部が引っ掛るため、陳列用具を桟部材から脱落しないように取り付けることができる。また、陳列用具を桟部材から取り外す場合には、移動部材を上方に引き上げることにより、桟部材に対するベースの傾斜が許容されるため、移動部材を上方に引き上げたまま陳列用具を傾斜させて桟部材から陳列用具を取り外すことができる。
【先行技術文献】
【特許文献】
【０００５】
【特許文献１】特許第４８０６７８７号公報（第４頁、第１図）
【発明の概要】
【発明が解決しようとする課題】
【０００６】
しかしながら、特許文献１にあっては、陳列用具は移動部材を上方に移動させて規制の解除を行う構造であるため、陳列用具を取り外す際には、移動部材を指で摘み上げる必要があり、陳列装置の奥側に配置された桟部材から陳列用具を取り外す作業が煩雑になるという問題があった。
【０００７】
本発明は、このような問題点に着目してなされたもので、桟部材から容易に取り外しを行うことができる陳列用具を提供することを目的とする。
【課題を解決するための手段】
【０００８】
前記課題を解決するために、本発明の陳列用具は、
水平方向に延びる断面矩形状の桟部材に取り付けられる陳列用具において、
コ字状の開口を下方に向くようにして前記断面矩形状の桟部材に装着可能な係合部と、該係合部に取り付けられ物品を保持する物品保持部と、前記係合部の上部に揺動可能に軸支され前記断面矩形状の桟部材に取り付けられた前記係合部の上方への移動を規制する規制部材と、を備え、
前記係合部が、前記開口が下方に向くようにして前記断面矩形状の桟部材に取り付けられた状態で、前記係合部の上部に軸支された前記規制部材の一部が揺動により前記係合部の下方に移動し、前記断面矩形状の桟部材の下面に当接するようになっていることを特徴としている。
この特徴によれば、規制部材を揺動させるだけで係合部の移動の規制を解除した状態とすることができるため、陳列用具を桟部材から容易に取り外すことができる。
【０００９】
前記規制部材の上部が前記係合部に対する軸支部分の上方に突出していることを特徴としている。
この特徴によれば、規制部材の上部を押す力を規制部材の揺動に変換することができる。
【００１０】
前記規制部材の上部が前記物品保持部よりも上方に突出していることを特徴としている。
この特徴によれば、物品保持部を把持しながら規制部材の上部を操作することができるため、陳列用具を桟部材に対して容易に着脱することができる。
【００１１】
前記規制部材が前記物品保持部を避けて前記係合部を覆うように板状に形成されることを特徴としている。
この特徴によれば、物品保持部が規制部材の揺動を邪魔することなく、係合部や軸支部分の構造を正面側から見え難くすることができ、陳列用具を桟部材に対して取り付けた際の美観が向上する。
【図面の簡単な説明】
【００１２】
【図１】実施例１における陳列用具の構造を示す斜視図である。
【図２】（ａ）〜（ｃ）は、桟部材に対する実施例１における陳列用具の取り付け方法を示した模式図である。
【図３】（ａ）〜（ｃ）は、実施例２における陳列用具を示しており、（ａ）は、陳列用具の前方側の構造を示す斜視図であり、（ｂ）は、陳列用具の後方側の構造を示す斜視図であり、（ｃ）は、桟部材に取り付けられた陳列用具の規制部材の揺動を示す模式図である。
【図４】（ａ）〜（ｃ）は、実施例２における陳列用具の変形例を示しており、（ａ）は、陳列用具の前方側の構造を示す斜視図であり、（ｂ）は、陳列用具の後方側の構造を示す斜視図であり、（ｃ）は、桟部材に取り付けられた陳列用具の規制部材の揺動を示す模式図である。
【発明を実施するための形態】
【００１３】
本発明に係る陳列用具を実施するための形態を実施例に基づいて以下に説明する。
【実施例１】
【００１４】
実施例１に係る陳列用具につき、図１と図２を参照して説明する。以下、図２の画面左側を陳列用具の正面側（前方側）とし、その前方側から見たときの上下左右方向を基準として説明する。
【００１５】
本実施例の陳列用具１は、例えば、スーパーマーケットやデパート等において、物品陳列棚や壁等の物品陳列空間に設置され、図１に示されるように、物品陳列空間の左右方向に延びる断面四角形状の桟部材２に取り付けられ、前方側に延出する物品保持部材４に物品に設けられる貫通孔やフック等を吊下げることにより物品を吊支して陳列できるようになっている。
【００１６】
図１及び図２に示されるように、陳列用具１は、側面視下向き略コ字状を成し桟部材２に上方から着脱可能な係合部材３（係合部）と、該係合部材３の前板部３ａの中央に取り付けられる側面視略Ｓ字状の物品保持部材４（物品保持部）と、係合部材３の上板部３ｂに平型蝶番６を介して揺動可能に軸支される規制部材５と、から主に構成されている。
【００１７】
係合部材３は、スチール板の曲げ加工により側面視下向き略コ字状を成し、上板部３ｂを挟んで前方側で垂下する前板部３ａと、上板部３ｂを挟んで後方側で垂下する後板部３ｃとを有し、これら上板部３ｂと前板部３ａと後板部３ｃとで画成された下方に開放する開口部３ｄを形成している。開口部３ｄの前後寸法は、桟部材２の前後寸法と略同一または僅かに大きく形成されることにより、係合部材３を桟部材２に上方から嵌挿するようにして着脱できるようになっている。
【００１８】
前板部３ａは、後板部３ｃよりも上下方向に長尺となるように形成されており、陳列用具１を桟部材２に取り付ける際には、桟部材２に対して前方側から前板部３ａの後面側を後板部３ｃよりも先に当接させることにより、桟部材２が開口部３ｄに嵌挿されるようにガイドできるため、係合部材３を桟部材２に確実に取り付けることができる。また、陳列用具１を桟部材２から取り外す際には、係合部材３を上方に持ち上げた際に桟部材２と後板部３ｃとの接触が前板部３ａとの接触よりも先に解除されるため、係合部材３を桟部材２から完全に引き抜くことなく前方側に引き寄せることができ、陳列用具１を桟部材２に対して前方側から着脱しやすくなっている。
【００１９】
また、前板部３ａの前面左右中央には、物品保持部材４の基部４ｃが溶接固定されており、上板部３ｂには、平型蝶番６の一方の板部６ｂが溶接固定されている。
【００２０】
物品保持部材４は、棒状の鋼材の曲げ加工により側面視略Ｓ字状を成し、前端側が折り曲げられて上方に延びる自由端部４ａと、後端側が折り曲げられて下方に延びる基部４ｃと、自由端部４ａと基部４ｃとの間で前後方向に延び物品を吊支して保持可能な保持部４ｂと、から構成されている。
【００２１】
自由端部４ａは、折り曲げられて上方に延びているため、保持部４ｂに吊支される物品の前方側への移動を規制し、物品保持部材４に吊支された物品の抜け落ちを防いでいる。また、自由端部４ａの先端は半球状に成形されており、利用者の体の一部や吊支される物品が自由端部４ａの先端に接触した際に、怪我や破損等が発生しないように安全性が高められている。
【００２２】
また、保持部４ｂは、物品が吊支されて荷重が大きくかかった際に撓りにより略水平な状態となるように、前方側から後方側にかけて所定角度下方に傾斜するように形成されている。
【００２３】
また、基部４ｃは、係合部材３の前板部３ａと上下寸法が略同一に形成されており、係合部材３の前板部３ａの上下方向に亘って接触部分を増やすことにより、溶接による固定強度が高められている。
【００２４】
規制部材５は、樹脂製の板材からなり、その左右中央が下端側に切り欠かれ側面視略レ字状、正面視略コ字状に形成され、係合部材３の前板部３ａに前方側から当接する前面板５ｂと、該前面板５ｂの下端から後方側に斜め上方に向けて延びる規制板５ｃと、から構成されている。規制部材５の左右中央下端側には、物品保持部材４の径よりも長い幅寸法の切欠部５ａが形成されており、規制部材５は物品保持部材４の基部４ｃを上方から囲うようになっている。尚、規制部材５の切欠部５ａは、規制板５ｃに下端縁から前面板５ｂの上端部にかけて形成されており、規制部材５を揺動させた際に、物品保持部材４が接触して規制部材５の揺動を邪魔しないようになっている。また、規制部材５は、アルミニウム合金やスチール等の金属板から構成されていてもよい。
【００２５】
規制部材５の前面板５ｂの上方の裏面には、平型蝶番６の他方の板部６ｃが溶接固定されている。平型蝶番６の一方の板部６ｂ及び他方の板部６ｃは、軸部６ａ（軸支部分）により互いが回動可能に軸支されている。前面板５ｂの上端部は、規制部材５を軸支する平型蝶番６の軸部６ａの位置よりも上方に突出するとともに、物品保持部材４の保持部４ｂよりも上方に突出している。これによれば、規制部材５の前面板５ｂの上端部を押す力を規制部材５の揺動に変換することができるとともに、物品保持部材４の保持部４ｂを把持しながら規制部材５の前面板５ｂの上端部を前方側から親指等で操作することができ、陳列用具１を桟部材２に対して片手で着脱することも可能となっている（図２（ａ）参照）。
【００２６】
また、前面板５ｂは、係合部材３の前板部３ａの前面側に隣接して設けられ、上述したように上端部が軸部６ａよりも上方に突出しているため、平型蝶番６や係合部材３を前方側から見え難いように被装でき、陳列用具１を桟部材２に対して取り付けた際の美観を向上させることができる。尚、前面板５ｂの前面側には、鏡面加工等の加工や塗装等の装飾を行ってもよい。
【００２７】
また、規制板５ｃは、前面板５ｂの上端部を操作して平型蝶番６の軸部６ａを中心に規制部材５を揺動させることにより係合部材３の下方で前後方向に移動可能となっている。さらに、規制部材５は、平型蝶番６の軸部６ａよりも規制板５ｃが後方側に延在し、その重心Ｇは軸部６ａよりも後方側に位置する（図２（ｃ）参照）。そのため、陳列用具１を桟部材２に取り付けた状態（すなわち水平に位置させた状態）で、規制部材５は、荷重バランスにより軸部６ａを中心として反時計回りに揺動するが、係合部材３の前板部３ａにより移動規制され、前面板５ｂが略垂直な状態になる位置に保持されるようになっている（図２（ｂ）及び図２（ｃ）参照）。
【００２８】
尚、規制部材５は、全体の素材と厚みが均一な板材から構成されており、形状に基づく重心の位置により荷重バランスを調整するものとして説明したが、これに限らず、例えば、規制部材を構成する板材の部分的な素材または厚みの変更や重り等の付加によって荷重バランスを調整してもよい。
【００２９】
次いで、陳列用具１の桟部材２への取り付け方法について図２を用いて説明する。尚、陳列用具１は、物品陳列空間の桟部材２に対して前方側から取り付けられるものとして説明する。
【００３０】
先ず、図２（ａ）に示されるように、物品保持部材４の保持部４ｂを把持しながら、規制部材５の前面板５ｂの上端部を前方側から親指等で押圧操作する。そして、規制部材５の規制板５ｃが係合部材３の下方で開口部３ｄの鉛直線上から退避する位置まで前方側に移動させた状態で、係合部材３を桟部材２に対して上方から略垂直に嵌挿する。
【００３１】
次に、規制部材５の前面板５ｂの上端部に対する押圧操作を解除することにより、規制部材５は、荷重バランスにより平型蝶番６の軸部６ａを中心に自然に揺動する（図２（ｂ）参照）。そして、規制部材５の前面板５ｂが略垂直になるまで揺動して係合部材３の前板部３ａと当接することにより、規制部材５の規制板５ｃは、係合部材３の下方で開口部３ｄの鉛直線上に位置する。この状態で、陳列用具１が略垂直方向に持ち上げられても、係合部材３の規制板５ｃが桟部材２の下方に当接するため、陳列用具１の上方への移動が規制され桟部材２から不用意に外れることを防げる（図２（ｃ）参照）。
【００３２】
以上説明したように、陳列用具１は、規制部材５を揺動させるだけで桟部材２への係合部材３の移動を可能としているため、桟部材２に対して前方側から容易に取り付けることができるとともに、規制部材５に作用させた力を解放することにより、規制部材５は荷重バランスにより揺動し、陳列用具１を取り付けた後に係合部材３の上方への移動が規制されるため、陳列用具１を桟部材２に容易に取り付けることができる。
【００３３】
また、陳列用具１を桟部材２から取り外す場合には、取り付け時と逆の手順、詳しくは、物品保持部材４の保持部４ｂを把持しながら規制部材５の前面板５ｂの上端部を前方側から親指等により押圧操作し、規制部材５を揺動させるだけで規制板５ｃが桟部材２に干渉しなくなり、この状態で陳列用具１を略垂直に持ち上げることにより、陳列用具１を桟部材２から取り外すことができるため、陳列用具１の取り外し操作が容易である。すなわち、陳列用具１は、桟部材２の前方側から片手で容易に着脱可能になっている。
【００３４】
また、規制部材５の前面板５ｂの上端部を操作することにより、規制部材５を揺動させることができるため、物品保持部材４の保持部４ｂに物品が吊支された状態であっても陳列用具１を取り外すことができる。
【００３５】
また、規制部材５は、側面視略レ字状を成し、陳列用具１を桟部材２に取り付けた状態で規制板５ｃが後方側に斜め上方に向けて延びているため、桟部材２の下部と規制板５ｃが近接しており、不用意に外そうとしても規制板５ｃが桟部材２に直ぐに当接して移動を規制するとともに、前面板５ｂと規制板５ｃの間の角度が鋭角であるため、規制板５ｃが桟部材２に当接した状態から外れ難くなっている。
【実施例２】
【００３６】
次いで、実施例２に係る陳列用具につき、図３を参照して説明する。尚、前記実施例と同一構成部分については同一符号を付して重複する説明を省略する。
【００３７】
図３に示されるように、陳列用具１００の係合部材１０３（係合部）は、上板部１０３ｂを挟んで前方側で垂下する前板部１０３ａと、上板部１０３ｂを挟んで後方側で垂下する後板部１０３ｃと、から構成され、前板部１０３ａの下端縁が前方側に向けて斜めに延出して延出部１０３ｅを形成している。これによれば、係合部材１０３の開口部１０３ｄを桟部材２に上方から嵌挿する際に、桟部材２が延出部１０３ｅの後面側に接触することにより、桟部材２が延出部１０３ｅの後面側の傾斜によって前板部１０３ａまでガイドされるため、係合部材１０３と桟部材２とを前後に位置合わせして嵌挿することができる。
【００３８】
また、係合部材１０３の上板部１０３ｂの一方の側端（右端）側には、側面視四角形状の固定板１０６が溶接固定されており、固定板１０６の前方上端部に設けられた軸部１０６ａ（軸支部分）に規制部材１０５が揺動可能に軸支されている。尚、規制部材１０５は、固定板１０６の軸部１０６ａに左右両側からリベット等で締結されている。
【００３９】
図３（ｂ）に示されるように、規制部材１０５は、側面視略倒立Ｌ字状を成し、前方側に延びる操作部１０５ａと、後方側に延び上方に突出する突出部１０５ｂと、該突出部１０５ｂから係合部材１０３の後板部１０３ｃに沿って下方に垂下し、係合部材１０３の下方において前方側に斜め上方に延びて鉤状に形成される規制部１０５ｃと、から構成されており、操作部１０５ａを下方に押圧操作することにより、固定板１０６の軸部１０６ａを中心に規制部材１０５が揺動し、規制部１０５ｃが後方側に移動する（図３（ｃ）参照）。
【００４０】
また、操作部１０５ａは、先端が係合部材１０３の中央側に湾曲しており、物品保持部材４の保持部４ｂを把持しながら操作しやすくなっている。
【００４１】
また、規制部材１０５の後方側に突出部１０５ｂが形成されることにより、後方側の荷重が前方側の荷重よりも大きくなり、その重心が軸部１０６ａよりも前方かつ下方に位置するため、陳列用具１００を桟部材２に取り付けた状態で荷重バランスによって固定板１０６の軸部１０６ａを中心に規制部１０５ｃが係合部材１０３の下方に配置されるように自然に揺動するようになっている。
【００４２】
図４に示される変形例である陳列用具２００の係合部材２０３（係合部）は、上板部２０３ｂを挟んで前方側で垂下する前板部２０３ａと、上板部２０３ｂを挟んで後方側で垂下する後板部２０３ｃと、から構成され、前板部２０３ａの下端縁が前方側に向けて斜めに延出して延出部２０３ｅと、後板部２０３ｃの下端縁が後方側に向けて斜めに延出して延出部２０３ｆとを形成している。これによれば、係合部材２０３の開口部２０３ｄを桟部材２に上方から嵌挿する際に、桟部材２が延出部２０３ｅの後面側に接触することにより、桟部材２が延出部２０３ｅの後面側の傾斜によって前板部２０３ａまでガイドされるとともに、桟部材２が延出部２０３ｆの前面側に接触することにより、延出部２０３ｆの前面側の傾斜によって後板部２０３ｃまでガイドされるため、係合部材２０３と桟部材２とを前後に位置合わせして嵌挿することができる。
【００４３】
また、後板部２０３ｃには、延出部２０３ｆの下端左右中央から上方に向けて切欠部２０３ｇが形成されており、切欠部２０３ｇに後方側から規制部材２０５の一部が嵌挿されることにより規制部材２０５が後板部２０３ｃに沿って当接する構造になっている。
【００４４】
規制部材２０５は、係合部材２０３の上板部２０３ｂの左右中央に溶接固定される固定板２０６の前方上端側の軸部２０６ａ（軸支部分）に揺動可能に軸支され、物品保持部材４と略一直線状に配置されるため、物品保持部材４の保持部４ｂを把持しながら操作部２０５ａの先端を操作しやすくなっている。
【００４５】
図３及び図４に示されるように、陳列用具１００，２００の規制部材１０５，２０５の規制部１０５ｃ，２０５ｃは、それぞれ係合部材１０３，２０３を挟んで物品保持部材４と水平方向に互いに対向させて配置されているため、物品保持部材４に吊支された物品が規制部材１０５，２０５の規制部１０５ｃ，２０５ｃに接触し難く、規制部材１０５，２０５の誤作動が起こり難い。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、前記実施例では、物品に設けられる貫通孔やフック等を棒状の物品保持部材４に挿通して吊支する態様として説明したが、これに限らず、例えば、リング形状の物品保持部材にフック等で物品が吊支されてもよいし、棚板状の物品保持部材の上面に物品が載置されてもよい。
【符号の説明】
【００４８】
１                        陳列用具
２                        桟部材
３，１０３，２０３        係合部材（係合部）
３ａ，１０３ａ，２０３ａ  前板部
３ｂ，１０３ｂ，２０３ｂ  上板部
３ｃ，１０３ｃ，２０３ｃ  後板部
３ｄ，１０３ｄ，２０３ｄ  開口部
４                        物品保持部材（物品保持部）
４ａ                      自由端部
４ｂ                      保持部
４ｃ                      基部
５，１０５，２０５        規制部材
５ａ                      切欠部
５ｂ                      前面板
５ｃ                      規制板
６                        平型蝶番
６ａ，１０６ａ，２０６ａ  軸部（軸支部分）
６ｂ，６ｃ                板部
１００，２００            陳列用具
【図１】
0006765746.tif 000002
【図２】
0006765746.tif 000003
【図３】
0006765746.tif 000004
【図４】
0006765746.tif 000005